(57)【要約】【目的】照明光源や照明光源の駆動回路が故障した場合においても、読取画像の劣化を防止することができる画像読取装置、および画像形成装置を提供する。【構成】複数の光源から光を照射して原稿画像を読み取る画像読取装置において、前記複数の光源の光量を判定する判定手段と、前記判定手段の判定結果に基づいて前記複数の光源の光量にムラがなくなるように該複数の光源の少なくとも一部の光源の光量を低下させる光量調整手段と、前記光量調整手段による光量低下を補う補完手段と、を備えた。【選択図】        図１０
2016076880.tif 000002
【特許請求の範囲】
【請求項１】
複数の光源から光を照射して原稿画像を読み取る画像読取装置において、
前記複数の光源の光量を判定する判定手段と、
前記判定手段の判定結果に基づいて前記複数の光源の光量にムラがなくなるように該複数の光源の少なくとも一部の光源の光量を低下させる光量調整手段と、
前記光量調整手段による光量低下を補う補完手段と、
を有することを特徴とする画像読取装置。
【請求項２】
前記複数の光源を有し、前記原稿画像を読み取ることが可能な読取手段をさらに備え、
前記補完手段は、
前記光量調整手段によって調整される前記複数の光源の光量に基づいて、前記読取手段によって前記原稿を読み取る読取時間が長くなるよう設定する設定手段を備え、
前記読取手段は、前記設定手段によって設定される読取時間で前記原稿画像を読み取る
ことを特徴とする請求項１に記載の画像読取装置。
【請求項３】
前記設定手段は、前記光量調整手段によって調整される前記複数の光源の光量が低くなるほど、前記読取時間を長く設定する
ことを特徴とする請求項２に記載の画像読取装置。
【請求項４】
前記読取手段によって原稿画像を読み取る読取位置に原稿を供給する供給手段をさらに備え、
前記供給手段は、前記設定手段によって設定される前記読取時間に基づいて、前記原稿を供給する供給速度を遅くする
ことを特徴とする請求項２または請求項３に記載の画像読取装置。
【請求項５】
前記複数の光源が並ぶ方向と直交する方向に前記読取手段を走査させる走査手段をさらに備え、
前記走査手段は、前記設定手段によって設定される前記読取時間に基づいて、前記読取手段を走査させる走査速度を遅くする
ことを特徴とする請求項２または請求項３に記載の画像読取装置。
【請求項６】
前記補間手段は、
前記光量調整手段によって低下する光量に応じて、前記読取手段によって読み取る前記原稿画像に対してゲイン補正をする補正手段を備えた、
ことを特徴とする請求項１に記載の画像読取装置。
【請求項７】
前記判定手段は、
前記複数の光源の光量から得られる輝度値のうち、第１の所定値以下の輝度値があるか否かを判定する第１の判定手段と、
前記第１の所定値以下の輝度値から最低輝度値を算出する算出手段と、
前記最低輝度値が第２の所定値以上であるか否かを判定する第２の判定手段と、を備え、
前記光量調整手段は、前記第２の判定手段によって前記最低輝度値が前記第２の所定値以上であると判定された際に、前記算出手段によって算出された最低輝度値となるように前記複数の光源の光量を調整する
ことを特徴とする請求項１乃至請求項６のいずれか１項に記載の画像読取装置。
【請求項８】
前記読取手段は、前記第２の判定手段によって前記最低輝度値が前記第２の所定値以上でないと判定された際に、前記原稿画像の読み取りを中止する
ことを特徴とする請求項７に記載の画像読取装置。
【請求項９】
請求項１乃至請求項８のいずれか１項に記載の画像読取装置と、
前記画像読取装置が読み取った原稿画像に基づいてシート上に画像を形成する画像形成手段と、
を備えたことを特徴とする画像形成装置。
【発明の詳細な説明】
【技術分野】
【０００１】
本発明は、複数の発光素子が配列された発光部列を複数有し、原稿画像を光学的に読み取る画像読取装置と、この画像読取装置を装置本体に備えた画像形成装置とに関する。
【背景技術】
【０００２】
従来、シートに画像を形成するプリンタや複写機等の画像形成装置には、装置本体に画像読取装置を備え、その画像読取装置が読み取った原稿画像をシートに複写するものがある。
【０００３】
この画像読取装置は、読取ユニットが原稿台ガラスの下方を移動しながら、原稿台ガラス上に載置された原稿に光を照射し、原稿からの反射光を受光することで、原稿の画像情報を読み取る。
【０００４】
近年、読取ユニットの照明光源として白色ＬＥＤが用いられることが多い。一般的に、集光型センサ（ＣＣＤ（Ｃｈａｒｇｅ  Ｃｏｕｐｌｅｄ  Ｄｅｖｉｃｅｓ）イメージセンサやＣＭＯＳ（Ｃｏｍｐｌｅｍｅｎｔａｒｙ  ＭＯＳ）イメージセンサ）は、多くの光量を必要とするため、主走査方向に白色ＬＥＤを複数個並べることによって、必要な光量を得ている。
【０００５】
ここで、読取ユニットの照明光源として用いられる白色ＬＥＤの故障や、白色ＬＥＤの駆動回路が故障して白色ＬＥＤの光量が低下した場合に、画像読取装置を使用不可能とさせないよう、様々な方法が提案されている。
【０００６】
特許文献１では、故障した光源に対向する光源の発光量を増加させることで、画像の読取動作を継続することができる画像読取装置が提案されている。
【先行技術文献】
【特許文献】
【０００７】
【特許文献１】特開２００９−１２２１８０号公報
【発明の概要】
【発明が解決しようとする課題】
【０００８】
しかしながら、特許文献１の画像読取装置では、原稿の読取を継続することが可能だが、複数配置された光源の発光量が主走査方向において均一でなくなってしまうため、読取画像が劣化してしまう場合があった。
【０００９】
本発明の目的は、上記の点に鑑み、照明光源や照明光源の駆動回路が故障した場合においても、読取画像の劣化を防止することができる画像読取装置、および画像形成装置を提供することにある。
【課題を解決するための手段】
【００１０】
上記課題を解決するため、本発明にかかる画像読取装置は、複数の光源から光を照射して原稿画像を読み取る画像読取装置において、前記複数の光源の光量を判定する判定手段と、前記判定手段の判定結果に基づいて前記複数の光源の光量にムラがなくなるように該複数の光源の少なくとも一部の光源の光量を低下させる光量調整手段と、前記光量調整手段による光量低下を補う補完手段と、を備えた。
【発明の効果】
【００１１】
本発明によれば、照明光源や照明光源の駆動回路に故障が発生した場合においても、読取画像の劣化を防止することができる。
【図面の簡単な説明】
【００１２】
【図１】画像読取装置の概略断面図
【図２】画像読取部１０の上面図
【図３】画像読取部１０の断面図
【図４】（Ａ）読取走査ユニット５０の上面図、（Ｂ）図４（Ａ）のＧ−Ｇ断面図
【図５】（Ａ）読取走査ユニット５０の上面図、（Ｂ）照明部５１ａ〜５１ｈすべてが正常の状態である場合の主走査位置における輝度値を示す図
【図６】（Ａ）照明部５１ｆが故障した状態の読取走査ユニット５０の上面図、（Ｂ）照明部５１ｆが故障した状態の主走査位置における輝度値を示す図
【図７】（Ａ）照明部５１ｂおよび５１ｆが故障した状態の読取走査ユニット５０の上面図、（Ｂ）照明部５１ｂおよび５１ｆが故障した状態の主走査位置における輝度値を示す図
【図８】（Ａ）照明部５１ｆが故障した場合における光量調整動作について示す説明図、（Ｂ）輝度値と読取速度との関係を示す説明図
【図９】画像読取部１０の制御構成を示すブロック図
【図１０】ＣＰＵ９００の制御動作を示すフローチャート
【発明を実施するための形態】
【００１３】
以下にて、本発明を実施するための最良の形態について、図面を参照して説明する。本実施形態においては、画像読取装置として、例えば複写機等の画像形成装置に用いられる画像読取装置を例にするが、これに限ったものではない。尚、以下の実施形態は特許請求の範囲に係る本発明を限定するものでなく、また本実施形態で説明されている特徴の組み合わせの全てが本発明の解決手段に必須のものとは限らない。
【００１４】
以下、本実施形態における画像読取装置を図に基づいて説明をする。
図１は、本発明の実施形態における画像読取装置１００の断面図である。
【００１５】
画像読取装置１００は、原稿Ｄの画像を読み取る画像読取部１０と、画像読取部１０へ原稿Ｄを給送する原稿給送部２０とを主要に構成されている。
【００１６】
画像読取部１０は、原稿を固定して読み取る固定読みの際にユーザによって原稿が載置される原稿台ガラス３０と、原稿Ｄを搬送しながら読取る流し読みの際に原稿給送部２０によって給送された原稿Ｄが通過する流し読みガラス４０と、原稿台ガラス３０及び流し読みガラス４０の下方を往復移動可能に設けられ、原稿の画像を読み取る読取走査ユニット５０等を有している。
【００１７】
画像読取部１０の上方には、原稿を供給して搬送するための供給手段としての原稿給送部２０が設けられている。原稿給送部２０は、ヒンジなどの開閉支持部材によって画像読取部１０に対して図１の奥側を中心に回動自在に取り付けられている。このため、原稿給送部２０は、原稿台ガラス３０と流し読みガラス４０との上面を開閉できるようになっている。
【００１８】
固定読みの場合、ユーザによって原稿台ガラス３０上に載置された原稿は、原稿給送部２０の下部に配置される原稿圧板により原稿台ガラス３０上に押し付け固定される。そして、原稿を固定した状態で原稿台ガラス３０の下方を主走査方向に延びた読取手段としての読取走査ユニット５０が移動しながら原稿台ガラス３０上の原稿の画像を読み取る。このとき、読取走査ユニット５０の移動する方向を副走査方向という。
【００１９】
流し読みの場合、読取走査ユニット５０は、流し読みガラス４０の下方の所定の読取位置に移動し、停止する。そして、原稿給送部２０は、原稿載置部２１に載置された原稿Ｄを給送ローラ２２で取り込み、分離ローラ２３ａと分離板２３ｂとからなる分離部２３に給送する。ここで、分離部２３は、給送ローラ２２にて複数枚の原稿Ｄが給送された場合に、原稿Ｄを１枚に分離しながら搬送する。次に、レジセンサＳ１で原稿Ｄの先端を検知すると、レジストローラ対２４にて、分離部２３から搬送されてきた原稿Ｄの先端を受け止めて原稿Ｄの斜行を矯正する。ここで、レジセンサＳ１では原稿Ｄの斜行矯正のタイミングを計る他に、原稿Ｄの後端を検知したことに応じて給送ローラ２２による給送タイミングを計り、検知時間に応じて原稿Ｄのサイズ判定を行うこと等ができる。
【００２０】
レジストローラ対２４にて斜行が矯正された原稿Ｄは、リードセンサＳ２で検知される読み取りタイミングに合わせて読取走査ユニット５０が画像を読み取る流し読みガラス４０上の読取位置へ原稿Ｄを給送するように、搬送路ＰＳ１へ原稿Ｄを搬送する。このとき、原稿Ｄは、所定の回転数で回転するプラテンローラ２５によって流し読みガラス４０の上面から浮き上がり量を規制された状態で搬送されて、読取走査ユニット５０によって画像を読み取られる。
【００２１】
また、プラテンローラ２５の原稿搬送方向上流と原稿搬送方向下流にはそれぞれリードローラ対２６ａ、２６ｂが設けられており、原稿Ｄは読取走査ユニット５０によって画像が読み取られながらリードローラ対２６ａ、２６ｂによって搬送されている。
画像が読み取られた原稿Ｄは、リードローラ対２６ｂによって反転排出ローラ対２７へ搬送され、反転排出ローラ対２７によって原稿排出部２８へ排出される。
【００２２】
ここで、反転排出ローラ対２７の搬送方向上流側には排出センサＳ３が設けられており、排出時における滞留ジャムや遅延ジャムなどを検知することが可能となっている。
同様に、レジセンサＳ１およびリードセンサＳ２についても、原稿搬送時の滞留ジャムや遅延ジャムなどを検知可能となっている。
【００２３】
原稿Ｄの両面を読み取る場合は、１面目を読み取った後、原稿排出中の反転排出ローラ２７を停止し、その後逆回転させて原稿Ｄを機内へ引き戻し、フラッパ２９にて搬送路を反転搬送路ＰＳ２に切り替えることで原稿Ｄを再度搬送路ＰＳ１内に送り込み、読取走査ユニット５０によって２面目を読み取る。
【００２４】
画像読取部１０は、流し読みと固定読みの何れの読み方であっても、読取走査ユニット５０が原稿に光を照射し、その照射した光の反射光を受光して、原稿を光学的に読み取る。そして、原稿読取部１０は、受光した光を電気信号に変換し、電気信号に基づいて画像データを作成する。
尚、画像読取装置１００は不図示のプリンタ等の画像形成装置と接続可能となっており、原稿のコピーを行う際にはその画像データを画像形成装置に送り、送られた画像データに基づいて記録媒体上に読取画像を形成することが可能となっている。また、不図示のＦＡＸ回線を介して取得した画像データを外部機器へ送信することも可能となっている。
【００２５】
次に、図２、図３を用いて本実施形態における画像読取部１０について説明する。
図２は、画像読取部１０を上から見た図である。
上述したように、画像読取部１０は、固定読みの際に用いられる原稿台ガラス３０と、流し読みの際に用いられる流し読みガラス４０が並んで配置されている。
【００２６】
原稿台ガラス３０の下方には、出力画像信号の歪みを補正するシェーディング補正を行うための白色基準となる部材の白色基準板６０が設けられている。ここでは、白色基準板６０は、原稿台ガラス３０に張り付けられている構成を示すが、これに限ったものでなくとも良い。
また、原稿台ガラス３０には、ユーザが原稿台ガラス３０上に原稿を載置する際の基準となる原稿突き当て部７０が設けられている。
【００２７】
図３は、本実施形態における画像読取部１０の断面図である。
読取走査ユニット５０は、原稿に光を照射するための光源としての照明部材５１と、複数のミラー５２と、結像レンズ５３と、ラインセンサ５４と、を含む。照明部材５１から照射され、原稿によって反射された反射光は、ミラー５２によって結像レンズ５３へ導かれ、ラインセンサ５４に結像されることで、原稿の読取信号が光電変換される。
【００２８】
次に、図４（Ａ）、（Ｂ）を用いて本実施形態における照明部材５１の構成について説明する。
図４（Ａ）は、読取走査ユニット５０を上から見た概略図である。
複数の光源としての照明部材５１は、複数の白色ＬＥＤで構成された照明部５１ａ〜５１ｈで構成され、それぞれ基板５１ｉに直列接続されている。また、照明部材５１には、照明部５１ａ〜５１ｈの主走査方向における配光分布特性によるリップルを軽減するために、導光体５１ｊが設けられている。
【００２９】
図４（Ｂ）は、図４（Ａ）のＧ−Ｇ断面図である。
導光体５１ｊは、図中の矢印で示すように、基板５１ｉ上に実装された照明部５１ａから照射される光を原稿へ導く。図４（Ｂ）では、例として照明部５１ａを挙げたが、照明部５１ｂ〜５１ｈについても同様の構成となっている。
【００３０】
次に、本実施形態において照明部材５１の一部分が故障した際の輝度値の変化について説明する。
図５は、照明部材５１が全て正常である状態を示す説明図である。（Ａ）は読取走査ユニット５０を上面から見た模式図であり、（Ｂ）は照明部５１ａ〜５１ｈすべてが正常の状態である場合の主走査位置における輝度値を示す図である。
【００３１】
図５に示すように、照明部材５１が全て正常の状態である場合は、主走査方向における全ての位置で、所定値Ａを上回る輝度値となっている。ここで、所定値Ａは、読取動作に必要な光量が十分に得られていると判定することができる値である。
例えば、白色の輝度値が２５５であるため、所定値Ａを２５０と設定することで、照明部５１ａ〜５１ｈそれぞれが正常の光量を得られているか否かを判定する。
【００３２】
図６は、照明部材５１の一部である照明部５１ｆが故障した状態を示す説明図である。（Ａ）は照明部５１ｆが故障した状態の読取走査ユニット５０を上面から見た模式図であり、（Ｂ）は照明部５１ｆが故障した状態の主走査位置における輝度値を示す図である。
【００３３】
図６に示すように、照明部５１ｆが故障した場合は、主走査方向において照明部５１ｆに対応する位置のみ輝度値が低下し、照明部材５１のその他の正常な照明部に対応する位置と比較して輝度値が小さくなる。この場合、主走査方向における照明部５１ｆに対応する位置では、所定値Ａを下回る輝度値となっている。しかし、照明部５１ｆに対向配置されている照明部５１ｂは正常な状態であるため、主走査位置において輝度値が０になることはなく、所定値Ｂよりも大きい輝度値となっている。
【００３４】
ここで、所定値Ｂとは、所定値Ａよりも小さい値であって、輝度値が所定値Ｂ以下である場合は読み取りに必要な十分な光量が得られておらず、読取動作ができないと判定することが可能な値である。
例えば、上述したように所定値Ａを２５０とした場合、所定値Ｂは１２５と設定することで、照明部材５１の故障によって光量が低下している場合において読取動作が可能か否かを判定する。
【００３５】
図７は、照明部５１ｆに加えて照明部５１ｂが故障した状態を示す説明図である。（Ａ）は照明部５１ｂおよび５１ｆが故障した状態の読取走査ユニット５０を上面から見た模式図であり、（Ｂ）は照明部５１ｂおよび５１ｆが故障した状態の主走査位置における輝度値を示す図である。
【００３６】
図７に示すように、照明部材５１の一部である照明部５１ｂおよび５１ｆが故障した場合は、主走査方向における照明部５１ｂおよび５１ｆに対応する位置のみ光量が低下し、正常な照明部と比較して輝度値が小さくなる。この場合、主走査方向における照明部５１ｂおよび５１ｆに対応する位置では、所定値Ｂを下回る輝度値となっている。前述したように、主走査位置において所定値Ｂを下回る輝度値がある場合、読取動作に必要な光量が得られないため、読取動作を中止する。
【００３７】
次に、照明部材５１の一部が故障し、故障位置に対応する輝度値が所定値Ａを下回った場合であって所定値Ｂよりも輝度値が上回っている場合の光量調整動作について説明する。
図８の（Ａ）は、図６のように照明部５１ｆが故障した場合における光量調整動作について示す説明図である。図８の（Ｂ）は、輝度値と読取速度との関係を示す説明図である。
図６に示したように照明部５１ｆが故障し、故障位置に対応する輝度値が所定値Ａを下回ったが所定値Ｂを上回っている場合、図８（Ａ）に示すように正常なその他の照明部材５１に対応する輝度値が故障位置の輝度値と同等となるように、光量調整を行う。
このように、最も低い輝度値に合わせて光量調整を行うことで、主走査位置における読み取り画像のムラ等を低減させることが可能となる。
【００３８】
このとき、最も低い輝度値に合わせて光量調整を行って原稿を読み取った場合、良好な読取画像を得るためには所定の光量を得る必要がある。
これは、光量を正常時よりも低下させることで、正常時と比較して光量蓄積時間が短くなってしまい、読取画像が全体的に暗い画像となってしまうからである。
そこで、本実施形態では、読取速度を遅くすることで光量蓄積時間を増やし、所定の光量が得られるようにする。図８（Ｂ）に、輝度値と読取速度との関係を表す説明図を示す。図８（Ｂ）に示すように、輝度値と読取速度との関係は比例しているため、照明部材５１の故障位置に対応する輝度値が正常時と比較して低くなるほど、読取速度を遅くする必要がある。
【００３９】
読取速度を可変させるにあたって、原稿台ガラス３０上に原稿を載置して画像を読み取る固定読みの際は、読取走査ユニット５０の走査速度を可変させることで、読取速度を可変させる。流し読みガラス４０上に原稿を給送しながら画像を読み取る流し読みの際は、原稿給送部２０の原稿給送速度を可変させることで、読取速度を可変させる。
このようにすることで、照明部材５１やその駆動回路が故障し、照明部材５１の光量が低下した場合においても、読取画像が劣化することを防止することができる。
【００４０】
上記で説明した実施形態では例として照明部５１ｆが故障した場合を挙げたが、その他の照明部が故障した場合も同様に主走査位置における最低光量に合わせて光量調整を行う。そして、照明部が複数故障した場合においても同様の調整を行う。例えば、照明部５１ａと照明部５１ｇが故障し、主走査位置において輝度値が所定値Ａを下回る箇所が複数存在する場合は、最も輝度値が低い位置に合わせて光量調整を行う。そして、調整後の輝度値に合わせて読取速度を可変して画像の読み取りを行う。
【００４１】
次に、本実施形態における画像読取部１０の制御構成について説明する。
図９は、本実施形態における画像読取部１０の制御構成を示すブロック図である。
ＣＰＵ９００は、画像読取部１０全体の制御をしており、複数の光源の光量を判定する判定手段や、複数の光源の少なくとも一部の光源の光量を低下させる光量調整手段や、光量低下を補うための補完手段や、原稿を読み取る読取時間が長くなるように設定する設定手段や、複数の光源の光量から得られる輝度値のうち第１の所定値以下の輝度値があるか否かを判定する第１の判定手段や、最低輝度値が第２の所定値以下であるか否かを判定する第２の判定手段や、読み取った原稿画像に対してゲイン補正をする補正手段としても動作する。ＲＡＭ９０１は、ＣＰＵ９００の作業領域およびデータの一時記憶領域である。ＲＯＭ９０２は、画像読取部１０を制御するためのファームウェアプログラムや、ファームウェアプログラムを制御するためのブートプログラムが書き込まれ、ＣＰＵ９００によって使用される。
【００４２】
照明部５１ａ〜５１ｈは、ＬＥＤドライバ回路９０３に接続され、ＣＰＵ９００によって制御される。また、ラインセンサ５４は、センサ駆動回路９０４に接続され、ＣＰＵ９００によって制御される。ラインセンサ５４に結像される原稿の読取信号は、Ａ／Ｄ変換器９０５によってアナログ出力をデジタル出力に変換され、画像処理部９０６に送信される。画像処理部９０６は、システムバス９０７を介してＣＰＵ９００に制御され、送信された読取信号についてシェーディング等の画像処理を実行する。走査手段としての駆動部９０８は、ＣＰＵ９００に制御されることで読取走査ユニット５０を副走査方向へ走査させるように駆動を行う。操作部９０９は、ユーザからの指示を受け付けたり、ユーザへエラー通知を行う。
【００４３】
次に、本実施形態におけるＣＰＵ９００に制御動作について、説明する。
図１０は、本実施形態におけるＣＰＵ９００の制御動作を示すフローチャートである。
ユーザによって読取動作開始の指示を受け付けると、ＣＰＵ９００は駆動部９０８を制御して読取走査ユニット５０を白色基準板６０の下方に移動させ（ステップＳ１００１）、画像処理部９０６を介して白色基準板６０を読み取る（ステップＳ１００２）。
【００４４】
次に、ＣＰＵ９００は、白色基準板６０の読取値から、照明部材５１における照明部５１ａ〜５１ｈに対応する各輝度値を算出する（ステップＳ１００３）。
そして、ＣＰＵ９００は、照明部５１ａ〜５１ｈに対応する輝度値のうち、所定値Ａ以下の輝度値があるか否かを判定する（ステップＳ１００４）。
ここで、所定値Ａは前述した通り、十分な光量が得られていると判定できる値である。
【００４５】
照明部５１ａ〜５１ｈに対応する各輝度値において所定値Ａ以下のものがない場合（ステップＳ１００４のＮｏ）、ＣＰＵ９００は照明部５１ａ〜５１ｈに異常はないと判定し、予め設定されている読取速度で原稿画像の読み取りを行う（ステップＳ１０１２）。
【００４６】
照明部５１ａ〜５１ｈに対応する各輝度値のうち、所定値Ａ以下の輝度値が存在する場合（ステップＳ１００４のＹｅｓ）、ＣＰＵ９００は、照明部材５１の照明部５１ａ〜５１ｈに対応する輝度値の中から最低輝度値を算出する（ステップＳ１００５）。
【００４７】
次に、ＣＰＵ９００は、ステップＳ１００５で算出した照明部材５１の照明部５１ａ〜５１ｈに対応する最低輝度値が所定値Ｂ以上であるか否かを判定する（ステップＳ１００６）。
ここで、照明部５１ａ〜５１ｈに対応する輝度値のうちの最低輝度値が所定値Ｂ以上でない場合（ステップＳ１００６のＮｏ）は、読取動作ができないと判定し、原稿の読み取りを中止し、操作部９０９を介してユーザにエラー通知をする（ステップＳ１００７）。
照明部５１ａ~５１ｈに対応する輝度値のうちの最低輝度値が所定値Ｂ以上であった場合（ステップＳ１００６のＹｅｓ）は、各照明部５１ａ〜５１ｈが、Ｓ１００４で算出された最低輝度値となるように光量調整を行う（ステップＳ１００８）。
【００４８】
次に、照明部５１ａ〜５１ｈに対応する輝度値の全てが最低輝度値に達したか否かを判定する（ステップＳ１００９）。
照明部５１ａ〜５１ｈに対応する輝度値の全てが最低輝度値に達していない場合（ステップＳ１００９のＮｏ）、ステップＳ１００８に戻って光量調整を行う。
【００４９】
照明部５１ａ〜５１ｈに対応する輝度値の全てが最低輝度値に達した場合（ステップＳ１００９のＹｅｓ）、ＣＰＵ９００は、光量蓄積時間およびそれに対応する読取速度を、光量調整後の輝度値が低くなるほど、正常時と同程度の光量が得られる光量蓄積時間の増大およびそれに対応する読取速度の減少となるように算出する（ステップＳ１０１０）。
次に、読取速度をステップＳ１０１０で算出した読取速度に設定する（ステップＳ１０１１）。
そして、Ｓ１０１１にて設定された読取速度で、画像の読み取りを行う（ステップＳ１０１２）。
【００５０】
以上で説明したように、本実施形態では照明部材５１における照明部５１ａ〜５１ｈが故障や駆動回路の故障等で一部の輝度値が低下した場合に照明部５１ａ〜５１ｈ全てを最低輝度値に合わせて光量調整することで、主走査方向における濃度ムラ等を防ぐことができる。また、光量調整後の最低輝度値に応じて読取速度を可変することで、光量を低下させた場合においても、読取画像が劣化することを防ぐことができる。
【００５１】
上記の実施形態では、照明部５１ａ〜５１ｈに対応する各輝度値が所定値Ａ以下であり所定値Ｂ以上である場合に読取速度を低下させて画像の読み取りを行ったが、写真等の高階調モードでより良好な画質が求められる場合のみ読取速度を低下させて画像の読み取りを行ってもよい。高階調モードでない場合は、そのままの状態で画像の読み取りを行い、読み取った画像に対してＣＰＵ９００を用いてゲイン補正を行うことで光量不足の部分を補ってもよい。
【００５２】
また、ユーザに画質優先モードか生産性優先モードかを選択させることで、読取速度の設定を行ってもよい。このとき、画質優先モードが選択されている場合は前述したように光量調整を行い、読取速度を低下させて画像読み取りを行う。そして、生産性優先モードが選択されている場合は読み取った画像に対してゲイン補正等の画像処理を行う。
【００５３】
また、上記の実施形態では、照明部５１ａ〜５１ｈに対応する各輝度値が所定値Ａ以下であり所定値Ｂ以上である場合に、照明部５１ａ〜５１ｈ全てを最低輝度値に合わせて光量調整したが、最低輝度値に合わせるのでなく、全体を所定の低輝度値となるように光量調整してもよい。
【符号の説明】
【００５４】
５０・・・読取走査ユニット
５１・・・照明部材
５４・・・ラインセンサ
９００・・・ＣＰＵ
９０３・・・ＬＥＤドライバ回路
９０４・・・センサ駆動回路
９０６・・・画像処理部
９０８・・・駆動部
【図１】
2016076880.tif 000003
【図２】
2016076880.tif 000004
【図３】
2016076880.tif 000005
【図４】
2016076880.tif 000006
【図５】
2016076880.tif 000007
【図６】
2016076880.tif 000008
【図７】
2016076880.tif 000009
【図８】
2016076880.tif 000010
【図９】
2016076880.tif 000011
【図１０】
2016076880.tif 000012